(57)【要約】      （修正有）【課題】片手で自然の動作で着脱でき、更に、取付側基板と挟持側基板とを接続部を介装して着脱自在としたことにより、接続部から挟持側基板を取り外し洗浄が容易な調理器具の取り付け具を提供する。【解決手段】本考案は、略垂直面に取り付けるための取り付け面１ａを形成した基板１と、基板１に延設した可撓性を有し略Ｃ字状に対峙させた少なくとも一対の挟持部２．２と、少なくとも一対の挟持部２．２の先端の間に開口部２ａとを備え、開口部２ａは上下方向に被取り付け物Ａが挿通するように開口させたものであり、更に、取付側基板１ｂと挟持側基板１ｃとを接続部を介装して着脱自在としたものである。【選択図】図１
0003135513.tif 000002
【実用新案登録請求の範囲】
【請求項１】
略垂直面に取り付けるための取り付け面を形成した基板と、該基板に延設した可撓性を有し略Ｃ字状に対峙させた少なくとも一対の挟持部と、該少なくとも一対の挟持部の夫々の先端の間に開口部とを備え、前記開口部は上下方向に被取り付け物が挿通するように開口させたことを特徴とする調理用器具の取り付け具。
【請求項２】
前記基板を取り付け面を形成した取付側基板と少なくとも一対の挟持部を対峙させた挟持側基板とに分離させる共に、前記取付側基板と前記挟持側基板とを接続部を介装して着脱自在としたことを特徴とする請求項１に記載の調理用器具の取り付け具。
【請求項３】
前記少なくとも一対の挟持部の厚みを夫々先端辺を稍薄い薄目部に形成し基端辺を稍厚い厚目部に形成、又は、巾を先端辺を稍狭くした狭目部に形成し基端辺を稍広くした広目部に形成、及び、これらを組み合わせたことを特徴とする請求項１又は請求項２に記載の調理用器具の取り付け具。
【請求項４】
前記少なくとも一対の挟持部の夫々の先端に上方に突出する突出係止部を突設したことを特徴とする請求項１〜３のいづれか一項に記載の調理用器具の取り付け具。
【請求項５】
前記基板の前記少なくとも一対の挟持部の下方に被取り付け物を取り付けた状態で前記被取り付け物に接触して前方に浮かせる浮かせ部を形成したことを特徴とする請求項１〜４のいづれか一項に記載の調理用器具の取り付け具。
【考案の詳細な説明】
【技術分野】
【０００１】
本考案は、調理用器具の取り付け具に関するものであり、更に詳細には、例えば、おたまやトング等の調理用器具を一時的に又は収納のために衛生的に且つ容易に片手で着脱できるように取り付けるための取り付け具に関するものである。
【背景技術】
【０００２】
近年、衛生、安全が重視されるようになり、調理用器具の収納保管は食器洗浄機の中や引き出しの中に収納されることが多くなったが、収納スペースの関係や、調理中の作業上の観点から台所の壁面や収納を兼ねた取り付け板に取り付けたい要望が多く成っており、また、近年では昇降収納型などに取り付けたい要望もある。
【０００３】
従来、調理用器具の把持部に穴やフックを設けて、台所の壁面に多数の小孔を穿設したボードや粗目の網状のボードを配設して、該小孔や網目にＳ字状のフックや吊り下げ具を配して吊り下げていたが、食器洗浄機が普及したことと、穴やフックの部位は洗浄性が悪いこと、また、ボードに接触させると衛生上良くないことから、更には、開放的でスマートなキッチンでは見映えの悪さから、穴やフックを設けた調理用器具および吊り下げ具は敬遠されている実情である。
【０００４】
その為に、先に開示されている、例えば、素材料の弾性より生じるばね力を有効に利用して、タワシ等を簡単に、確実に、垂直に保持できる構造である。タワシ等、保持しょうとするものを、本考案の下部より、ばね力をもち、アーチ状に取り付けられた２個のアームの中央部へ、その一端を挿入することだけで、クランプされたところ以外、どこにも接触する事なく、確実な保持の効果を得る。又、保持したものを取り外すときは、そのものをつまんで、単に手前へ引き寄せるだけでよいもの（特許文献１参照）や、本発明は主材料として帯状のゴム板を用い、その短尺方向の一端側には全長にわたり直角に多数の切れ目を設けた上に他端側を硬板で全長にわたり固着補強したものを一対用いて上向きハの字形状に対峙するように構成し、ゴム板の対峙部分では物の挿入や抜き取りの際には上下方向において大きな抵抗差の生ずることを利用して調理用具の取り出し及び保持収納行なうもの（特許文献２参照）等が開示されている。
【特許文献１】実開平７−５５３９号公報
【特許文献２】特開２００１−２５８７７２号公報
【考案の開示】
【考案が解決しようとする課題】
【０００５】
然し乍ら、特許文献１に記載のものは、スポンジタワシ３のような柔軟なものを挟持させるものであるが、２つのアーム２ａ．２ｂが取付板１から垂直に立ち上がり、更に、上方に湾曲させて対称に対峙させているもので、取着するときは必ず下から上方に差し込まなければ成らず自然な動きでなく、柔軟なスポンジタワシはスムースな差込は困難なものであり、更に、特許資料２に記載のものは、ゴム板１に切れ目３を設けているものであるが、やはり、下方から上方に突き刺すように調理用具の操作部を挿入するもので人間の自然な動きでないものであった。
【課題を解決するための手段】
【０００６】
前記課題に鑑み鋭意研鑚の結果、本考案の調理用器具の取り付け具は、略垂直面に取り付け面を形成した基板と、基板に延設した可撓性を有し略Ｃ字状に対峙させた少なくとも一対の挟持部と、少なくとも一対の挟持部の先端の間に開口部とを備え、開口部は上下方向に開口させたものであり、更に、基板を取り付け面を形成した取付側基板と少なくとも一対の挟持部を対峙させた挟持側基板とに分離させる共に、取付側基板と挟持側基板とを接続部を介装して着脱自在としたものであり、更には、少なくとも一対の挟持部の厚みは先端辺を稍薄い薄目部に形成し基端辺を稍厚い厚目部に形成、又は、巾を先端辺を稍狭くした狭目部に形成し基端辺を稍広くした広目部に形成、及び、これらを組み合わせたものであり、加えて、少なくとも一対の挟持部の先端に上方に突出する突出係止部を突設したものであり、更には、基板の少なくとも一対の挟持部の下方に被取り付け物に接触して前方に浮かせる浮かせ部を形成したものである。
【考案の効果】
【０００７】
本考案の調理用器具の取り付け具は、基板に延設した可撓性を有し略Ｃ字状に対峙させた少なくとも一対の挟持部の開口部を上下方向に被取り付け物が挿通するように開口させたことにより、被取り付け物を前方向又は上方向から下へ差し込むことができ、外すときは手前に引くだけであるので、片手で自然の動作で着脱でき、更に、取付側基板と挟持側基板とを接続部を介装して着脱自在としたことにより、接続部から挟持側基板を取り外し洗浄が容易で、更には、挟持部の先端辺を稍薄い薄目部に基端辺を稍厚い厚目部に形成したことにより、被取り付け物の取り付けスムーズで、加えて、挟持部に突出係止部を突設したことにより、片側の挟持部がフックの役目をして被取り付け物を掛けるようにしてぶら下げることを可能とし、更には、浮かせ部を形成したことにより、被取り付け物の調理等に使用する先端辺りを壁面から浮かせて衛生的に維持できるもので、極めて実用性の高い考案である。
【考案を実施するための最良の形態】
【０００８】
以下、本考案の調理用器具の取り付け具の実施例を図面を用いて詳細に説明すると、図１は本考案の調理用器具の取り付け具の実施例の取り付け状態を表した全体斜視図であり、図２は本考案の調理用器具の取り付け具の実施例の斜視図であり、図３は調理用器具の取り付け具の本考案の次実施例の斜視図であり、図４は調理用器具の取り付け具の本考案の他の実施例の斜視図であり、図５（ａ）（ｂ）は調理用器具の取り付け具の本考案の実施例の要部断面図であり、図６（ａ）（ｂ）は調理用器具の取り付け具の本考案の実施例の着脱状態を表す要部断面図であり、図７は調理用器具の取り付け具の本考案の実施例の他の使用方法の正面図と側面図であり、図８は調理用器具の取り付け具の本考案の他の実施例の正面図と側面図である。
【０００９】
本考案は、調理用器具の取り付け具に関するものであり、更に詳細には、例えば、おたまやトング等の調理用器具を一時的に又は収納のために衛生的に且つ容易に片手で着脱できるように取り付けるための取り付け具に関するものであり、請求項１に記載の調理用器具の取り付け具は、略垂直面に取り付けるための取り付け面１ａを形成した基板１と、該基板１に延設した可撓性を有し略Ｃ字状に対峙させた少なくとも一対の挟持部２．２と、該少なくとも一対の挟持部２．２の夫々の先端の間に開口部２ａとを備え、前記開口部２ａは上下方向に被取り付け物が挿通するように開口させたことを特徴とするものである。
【００１０】
更に、請求項２に記載の調理用器具の取り付け具は、請求項１に記載の調理用器具の取り付け具において、前記基板１を取り付け面１ａを形成した取付側基板１ｂと少なくとも一対の挟持部２を対峙させた挟持側基板１ｃとに分離させる共に、前記取付側基板１ｂと前記挟持側基板１ｃとを接続部３を介装して着脱自在としたことを特徴とするものである。
【００１１】
更には、請求項３に記載の調理用器具の取り付け具は、請求項１又は請求項２に記載の調理用器具の取り付け具において、前記少なくとも一対の挟持部２．２の厚みを夫々先端辺を稍薄い薄目部２ｂ．２ｂに形成し基端辺を稍厚い厚目部２ｃ．２ｃに形成、又は、巾を先端辺を稍狭くした狭目部２ｅ．２ｅに形成し基端辺を稍広くした広目部２ｆ．２ｆに形成、及び、これらを組み合わせたことを特徴とするものである。
【００１２】
加えて、請求項４に記載の調理用器具の取り付け具は、請求項１〜３のいづれか一項に記載の調理用器具の取り付け具は、前記少なくとも一対の挟持部２．２の夫々先端に上方に突出する突出係止部２ｄを突設したことを特徴とするものである。
【００１３】
更には、請求項５に記載の調理用器具の取り付け具は、請求項１〜４のいづれか一項に記載の調理用器具の取り付け具において、前記基板１の前記少なくとも一対の挟持部２の下方に被取り付け物Ａを取り付けた状態で前記被取り付け物Ａに接触して前方に浮かせる浮かせ部４を形成したことを特徴とする。
【実施例】
【００１４】
即ち、本考案の調理用器具の取り付け具の実施例の取り付けた状態は、おたまのような棒状の基端部位の有るものは図１に図示するように、また、トングのように略Ｕ字状の基端部位を有するものや、又は、フックや穴を使用するもの等を図７に図示するように取り付けたりするものである。
【００１５】
そして、基板１は、裏面に垂直面に取り付けるための平坦状の取り付け面１ａを形成しているもので、接着剤や両面テープ等で貼着できるものでも、図４に図示する実施例のように吸盤を用いたものでも、また、ビス等により垂直面に取り付けられのもので構わないもので、基板１は適宜な可撓性を有するエラストマーやシリコンゴム等のゴム材を用いるのが好適なのものであり、また、後述する取付側基板１ｂと挟持側基板１ｃをＡＢＳ樹脂等で形成し、形成後に挟持部２をエラストマーやシリコンゴム等のゴム材で二重形成しても好適に使用できるものである。
【００１６】
次に、少なくとも一対の挟持部２．２は、可撓性を有し略Ｃ字状に対峙させて基板１に延設しているもので、図１に図示するように、前記取り付け面１ａを形成した上方辺に側面略Ｕ字状に折曲させて後述する浮かせ部４と共に延設したものでも、図７に図示するように、裏面に取り付け面１ａを形成し表面に突出するように延設しても構わないものであり、更には、図８に図示するように、片側に２つの挟持部２．２を備え、他側に１つの挟持部２を備えても構わないものである。
【００１７】
次いで、開口部２ａは、略Ｃ字状に対峙させた可撓性を有する一対の挟持部２．２の夫々の先端の間隔であり、つまり、被取り付け物Ａの取り付け口となるものであり、被取り付け物Ａを可撓性に抗して受け入れる適宜な間隔を有しているものである。
【００１８】
そして、開口部２ａは、被取り付け物Ａが上下方向に挿通するように開口させているもので、つまり、対峙させた一対の挟持部２．２は、水平方向に位置させているものである。
【００１９】
更に、図２、図３に図示する次実施例では、接続部３を介装して着脱自在としたもので、基板１を取り付け面１ａを形成した取付側基板１ｂと、一対の挟持部２．２を対峙させた挟持側基板１ｃとに分離させたもので、接続部３は着脱自在に接続できる構造のものならば構わないものであるが、次実施例では取付側基板１ａに図示する上方から差込みが可能なように凹陥状の挿入受け入れ部３ａを形成し、挟持側基板１ｃに前記挿入受け入れ部３ａに挿入可能な板状の挿入部３ｂを上方辺から下方向に延設して挿入させる接続部３としているものである。
【００２０】
更には、一対の挟持部２．２は、図５又は図６に図示するように、夫々先端辺の厚みを稍薄い薄目部２ｂ．２ｂに形成し、被取り付け物Ａが開口を容易に通過するように柔軟な可撓性を有しているもので、基端辺の厚みは稍厚い厚目部２ｃ．２ｃに形成し、取り付けた被取り付け物Ａを両側からしっかりと挟持するように可撓性を強くしているものである。
【００２１】
次に、突出係止部２ｄは、図７に図示するように、一対の挟持部２．２の夫々の先端に上方に突出させて突設したものであり、トング等の基端側がＵ字状の被取り付け物Ａを片側の挟持部２に引っ掛けるように取り付けが可能となるもので、先端の上方に突出係止部２ｄを突出させているため滑落を防止するものである。
【００２２】
次いで、浮かせ部４は、被取り付け物Ａを取り付けた状態で接触して前方に浮かせて、被取り付け物Ａが壁等に接触しないようにするもので、図１〜図３に図示するように、挟持側基板１ｃを傾斜させて形成することにより、挟持側基板１ｃの下方辺が被取り付け物Ａに接触して壁面から離して取り付けることができ浮かせ部４と成るもので、または、図７に図示する実施例では、一対の挟持部２．２の下方に膨出する山状の浮かせ部４に形成したものである。
【産業上の利用可能性】
【００２３】
本考案の調理用器具の取り付け具は、キッチン周りの略垂直面に取着するだけで、被取り付け物を前方向又は上方向から下方向へ差し込んだり、前方から押し付けるようにすることで取り付けができ、外すときは手前に引くだけで取り外しできるので、片手で自然の動作で着脱でき、更に、取付側基板と挟持側基板とを接続部を介装して着脱自在としたことにより、接続部から汚れ易い挟持側基板１を取り外して洗浄が容易であり、また、浮かせ部を形成したことにより、被取り付け物の調理等に使用する先端辺りを壁面から浮かせて衛生的に維持できる一般家庭又は業務用としての調理用器具の取り付け具を提供するものである。
【図面の簡単な説明】
【００２４】
【図１】図１は本考案の調理用器具の取り付け具の実施例の取り付け状態を表した全体斜視図である。
【図２】図２は本考案の調理用器具の取り付け具の実施例の斜視図である。
【図３】図３は調理用器具の取り付け具の本考案の次実施例の斜視図である。
【図４】図４は調理用器具の取り付け具の本考案の他の実施例の斜視図である。
【図５】図５（ａ）（ｂ）は調理用器具の取り付け具の本考案の実施例の要部断面図である。
【図６】図６（ａ）（ｂ）は調理用器具の取り付け具の本考案の実施例の着脱状態を表す要部断面図である。
【図７】図７は調理用器具の取り付け具の本考案の実施例の他の使用方法の正面図と側面図である。
【図８】図８は調理用器具の取り付け具の本考案の他の実施例の正面図と側面図である。
【符号の説明】
【００２５】
Ａ      被取り付け物
１      基板
１ａ    取り付け面
１ｂ    取付側基板
１ｃ    挟持側基板
２      挟持部
２ａ    開口部
２ｂ    薄目部
２ｃ    厚目部
２ｄ    突出係止部
２ｅ    狭目部
２ｆ    広目部
３      接続部
３ａ    挿入受け入れ部
３ｂ    挿入部
４      浮かせ部
【図１】
0003135513.tif 000003
【図２】
0003135513.tif 000004
【図３】
0003135513.tif 000005
【図４】
0003135513.tif 000006
【図５】
0003135513.tif 000007
【図６】
0003135513.tif 000008
【図７】
0003135513.tif 000009
【図８】
0003135513.tif 000010